【手続補正書】
【提出日】平成20年3月12日(2008.3.12)
【手続補正１】
【補正対象書類名】特許請求の範囲
【補正対象項目名】全文
【補正方法】変更
【補正の内容】
【特許請求の範囲】
【請求項１】
液体を噴射する液体噴射ヘッドを備えた液体噴射装置に装着された前記液体を収容する液体収容体と交換可能に装着されるアタッチメントであって、
外部から導入された液体を前記液体噴射ヘッドに供給するための流路と、
該流路に設けられた圧力調整手段とを備えたことを特徴とするアタッチメント。
【請求項２】
請求項１に記載のアタッチメントにおいて、
前記外部からの液体が導入される第１液体供給部と、
前記第１液体供給部からの液体が流入され、その流入した液体が前記液体噴射ヘッドに供給される第２液体供給部とを備え、
前記圧力調整手段は、前記第１液体供給部と前記第２液体供給部との間に設けられ、前記第２液体供給部の液体の圧力が予め定めた基準圧力以下になったとき、前記第１液体供給部と前記第２液体供給部とを連通状態に、前記第２液体供給部の液体の圧力が前記基準圧力を超えたとき、前記第１液体供給部と前記第２液体供給部を非連通状態にする弁装置であることを特徴とするアタッチメント。
【請求項３】
請求項１に記載のアタッチメントにおいて、
前記外部からの液体が導入される第１液体供給部と、
前記第１液体供給部からの液体が流入され、その流入した液体が前記液体噴射ヘッドに供給される第２液体供給部とを備え、
前記圧力調整手段は、前記第１液体供給部と前記第２液体供給部との間に設けられ、前記第２液体供給部の液体の圧力に対する前記第１液体供給部の液体の圧力の差圧が予め定めた基準圧力以上になったとき、前記第１液体供給部と前記第２液体供給部とを連通状態に、差圧が前記基準圧力未満になったとき前記第１液体供給部と前記第２液体供給部を非連通状態にする弁装置であることを特徴とするアタッチメント。
【請求項４】
請求項２又は３に記載のアタッチメントにおいて、
前記圧力調整手段は、多孔質部材であることを特徴とするアタッチメント。
【請求項５】
請求項２乃至４のいずれか１項に記載のアタッチメントにおいて、
前記アタッチメントを前記液体噴射装置に着脱可能に連結させる連結部に、
前記第２液体供給部と連通する連通孔と、
前記連通孔を開口させる開閉弁であって、前記アタッチメントが前記液体噴射装置に連結されたとき前記連通孔を開口させる開閉弁とを設けたことを特徴とするアタッチメント。
【請求項６】
請求項１乃至５のいずれか１項に記載のアタッチメントにおいて、
液体情報を記憶する記憶手段を備えたことを特徴とするアタッチメント。
【請求項７】
請求項１乃至６のいずれか１項に記載のアタッチメントにおいて、
前記アタッチメント内の液体残量が所定量にあることを検出するセンサを備えたことを特徴とするアタッチメント。
【請求項８】
液体を噴射する液体噴射ヘッドを備えた液体噴射装置に前記液体を供給する液体供給装置において、
請求項１乃至７のいずれか１項に記載のアタッチメントと、
前記アタッチメントから離間した位置に設けられ前記液体噴射ヘッドから噴射させるための液体を収容する外部液体収容体と、
前記外部液体収容体と前記アタッチメントとを連結し、前記外部液体収容体の液体を前記アタッチメントに供給するチューブと
を備えたことを特徴とする液体供給装置。
【請求項９】
液体を噴射する液体噴射ヘッドを備えた液体噴射装置に使用されるアタッチメントシステムであって、
前記液体噴射装置に搭載される液体カートリッジに替えて、該液体噴射装置に搭載可能で、内部の液体を前記液体噴射ヘッドに供給するアタッチメントと、
液体パックを有する外部液体収容体と、
前記アタッチメントと前記外部液体収容体とを連結し、前記液体パックの液体を前記アタッチメントに供給するチューブと、
前記アタッチメントに備えられ、該アタッチメントから前記液体噴射ヘッドへ供給する液体の圧力を調整する弁装置と
を備えたことを特徴とするアタッチメントシステム。
【請求項１０】
請求項９に記載のアタッチメントシステムにおいて、
前記アタッチメントに設けられた記憶手段と、
前記アタッチメントの外周面に設けられるとともに前記記憶手段に電気的に接続された電極と
をさらに備えたことを特徴とするアタッチメントシステム。
【請求項１１】
請求項９又は１０に記載のアタッチメントシステムにおいて、
前記アタッチメント内に設けられ、該アタッチメント内の液体残量が所定量にあることを検出するセンサと、
前記アタッチメントの外周面に設けられるとともに、前記センサに電気的に接続された電極と
をさらに備えたことを特徴とするアタッチメントシステム。
【請求項１２】
液体を噴射する液体噴射ヘッドを備えた液体噴射装置に使用されるアタッチメントシステムであって、
前記液体噴射装置に搭載される液体カートリッジに替えて、該液体噴射装置に搭載可能で、内部の液体を前記液体噴射ヘッドに供給するアタッチメントと、
外部液体収容体と、
前記アタッチメントと前記外部液体収容体とを連結し、前記外部液体収容体の液体を前記アタッチメントに供給するチューブとを備え、
前記アタッチメントは、
液体収容部を構成する底壁と、
該底壁と交差するとともに相対向する第１側壁及び第２側壁と、
前記底壁の前記第１側壁の側に偏した位置に形成された液体導出部と、
前記第１側壁に形成され、係合部を備えた係止部材と、
前記第２側壁の前記底壁寄りに形成され、前記液体導出部の軸方向と平行な面に設けられた凸部と、
前記凸部に配設された複数の電極と
を備えたことを特徴とするアタッチメントシステム。
【請求項１３】
請求項１２に記載のアタッチメントシステムにおいて、
前記アタッチメントは、電気的に接続された記憶手段をさらに備えたことを特徴とするアタッチメントシステム。
【請求項１４】
請求項１２又は１３に記載のアタッチメントシステムにおいて、
前記アタッチメントは、前記電極に電気的に接続されたセンサをさらに備え、該センサが前記アタッチメント内の液体残量が所定量にあることを検出することを特徴とするアタッチメントシステム。
【手続補正２】
【補正対象書類名】明細書
【補正対象項目名】０００７
【補正方法】変更
【補正の内容】
【０００７】
上記問題点を解決するために、本発明のアタッチメントは、液体を噴射する液体噴射ヘッドを備えた液体噴射装置に装着された前記液体を収容する液体収容体と交換可能に装着されるアタッチメントであって、外部から導入された液体を前記液体噴射ヘッドに供給するための流路と、該流路に設けられた圧力調整手段とを備えた。
【手続補正３】
【補正対象書類名】明細書
【補正対象項目名】０００８
【補正方法】変更
【補正の内容】
【０００８】
この発明によれば、液体噴射装置に液体収容体に替えてアタッチメントを装着し、アタッチメントを介して外部から液体噴射ヘッドに液体を供給することができる。そして、アタッチメントに設けた圧力調整手段によって、外部から液体噴射ヘッドに供給される液体の圧力を一定に保つことができる。従って、液体噴射ヘッドの液体噴射の品質を一定に保つことができる。
【手続補正４】
【補正対象書類名】明細書
【補正対象項目名】０００９
【補正方法】変更
【補正の内容】
【０００９】
本発明のアタッチメントは、前記外部からの液体が導入される第１液体供給部と、前記第１液体供給部からの液体が流入され、その流入した液体が前記液体噴射ヘッドに供給される第２液体供給部とを備え、前記圧力調整手段は、前記第１液体供給部と前記第２液体供給部との間に設けられ、前記第２液体供給部の液体の圧力が予め定めた基準圧力以下になったとき、前記第１液体供給部と前記第２液体供給部とを連通状態に、前記第２液体供給部の液体の圧力が前記基準圧力を超えたとき、前記第１液体供給部と前記第２液体供給部を非連通状態にする弁装置である。
【手続補正５】
【補正対象書類名】明細書
【補正対象項目名】００１１
【補正方法】変更
【補正の内容】
【００１１】
本発明のアタッチメントは、前記外部からの液体が導入される第１液体供給部と、前記第１液体供給部からの液体が流入され、その流入した液体が前記液体噴射ヘッドに供給される第２液体供給部とを備え、前記圧力調整手段は、前記第１液体供給部と前記第２液体供給部との間に設けられ、前記第２液体供給部の液体の圧力に対する前記第１液体供給部の液体の圧力の差圧が予め定めた基準圧力以上になったとき、前記第１液体供給部と前記第２液体供給部とを連通状態に、差圧が前記基準圧力未満になったとき前記第１液体供給部と前記第２液体供給部を非連通状態にする弁装置である。
【手続補正６】
【補正対象書類名】明細書
【補正対象項目名】００１３
【補正方法】変更
【補正の内容】
【００１３】
本発明のアタッチメントは、前記圧力調整手段は、多孔質部材である。
この発明によれば、圧力調整手段は、多孔質部材であるため、例えば、複雑な弁装置を設けることなく、外部液体収容体内の液体を一定の圧力で液体噴射ヘッドに供給することができる。従って、液体噴射の品質が一定になる。
【手続補正７】
【補正対象書類名】明細書
【補正対象項目名】００１４
【補正方法】変更
【補正の内容】
【００１４】
本発明のアタッチメントは、前記アタッチメントを前記液体噴射装置に着脱可能に連結させる連結部に、前記第２液体供給部と連通する連通孔と、前記連通孔を開閉させる開閉弁であって、前記アタッチメントが前記液体噴射装置に連結されたとき前記連通孔を開口させる開閉弁とを設けた。
【手続補正８】
【補正対象書類名】明細書
【補正対象項目名】００１５
【補正方法】変更
【補正の内容】
【００１５】
この発明によれば、液体噴射装置と連結する連結部に開閉弁を設けたので、例えば、アタッチメントを液体噴射装置から取り外したとき、アタッチメント本体内の液体が連結部から流出しない。
【手続補正９】
【補正対象書類名】明細書
【補正対象項目名】００１６
【補正方法】変更
【補正の内容】
【００１６】
本発明のアタッチメントは、液体情報を記憶する記憶手段を備えた。
この発明によれば、アタッチメントを使用して外部から液体噴射ヘッドに液体を供給する場合にも、例えば、外部から供給された液体の消費量や、外部から供給する液体の残量等を記憶することができ、正常な液体噴射動作を行うことができる。
本発明のアタッチメントは、前記アタッチメント内の液体残量が所定量にあることを検出するセンサを備えた。
この発明によれば、センサを利用して、アタッチメントの液体が一部消費されて、アタッチメント内の液体残量が予め決められた量（所定量）となった時点を検出することができる。
【手続補正１０】
【補正対象書類名】明細書
【補正対象項目名】００１７
【補正方法】変更
【補正の内容】
【００１７】
本発明の液体供給装置は、液体を噴射する液体噴射ヘッドを備えた液体噴射装置に前記液体を供給する液体供給装置において、上記に記載のアタッチメントと、前記アタッチメントから離間した位置に設けられ前記液体噴射ヘッドから噴射させるための液体を収容する外部液体収容体と、前記外部液体収容体と前記アタッチメントとを連結し、前記外部液体収容体の液体を前記アタッチメントに供給するチューブとを備えた。
【手続補正１１】
【補正対象書類名】明細書
【補正対象項目名】００１８
【補正方法】変更
【補正の内容】
【００１８】
この発明によれば、液体噴射装置に直接装着される液体収容体に替えて、アタッチメントを液体噴射装置に連結する。そして、アタッチメントに対してチューブを介して外部液体収容体を連結する。従って、外部液体収容体の液体はチューブを介してアタッチメントに供給される。アタッチメントに供給された液体は、圧力調整されて液体噴射ヘッドに供給される。その結果、大量の液体を収容した外部液体収容体を使用した場合にも、液体噴射装置に大きな負荷を与えることなく長時間連続して、しかも、液体噴射の品質を一定に保持しながら液体噴射することができる。
【手続補正１２】
【補正対象書類名】明細書
【補正対象項目名】００１９
【補正方法】変更
【補正の内容】
【００１９】
本発明のアタッチメントシステムは、液体を噴射する液体噴射ヘッドを備えた液体噴射装置に使用されるアタッチメントシステムであって、前記液体噴射装置に搭載される液体カートリッジに替えて、該液体噴射装置に搭載可能で、内部の液体を前記液体噴射ヘッドに供給するアタッチメントと、液体パックを有する外部液体収容体と、前記アタッチメントと前記外部液体収容体とを連結し、前記液体パックの液体を前記アタッチメントに供給するチューブと、前記アタッチメントに備えられ、該アタッチメントから前記液体噴射ヘッドへ供給する液体の圧力を調整する弁装置とを備えた。
【手続補正１３】
【補正対象書類名】明細書
【補正対象項目名】００２０
【補正方法】変更
【補正の内容】
【００２０】
この発明によれば、液体噴射装置に液体収容体に替えてアタッチメントを装着し、アタッチメントを介して外部から液体噴射ヘッドに液体を供給することができる。そして、アタッチメントに設けた弁装置によって、外部から液体噴射ヘッドに供給される液体の圧力を調節して一定に保つことができる。従って、液体噴射ヘッドの液体噴射の品質を一定に保つことができる。
【手続補正１４】
【補正対象書類名】明細書
【補正対象項目名】００２２
【補正方法】変更
【補正の内容】
【００２２】
この発明によれば、記憶手段に記憶された情報を電極を介して出力することができる。
【手続補正１５】
【補正対象書類名】明細書
【補正対象項目名】００２３
【補正方法】削除
【補正の内容】
【手続補正１６】
【補正対象書類名】明細書
【補正対象項目名】００２４
【補正方法】削除
【補正の内容】
【手続補正１７】
【補正対象書類名】明細書
【補正対象項目名】００２５
【補正方法】変更
【補正の内容】
【００２５】
本発明のアタッチメントシステムにおいて、前記アタッチメント内に設けられ、該アタッチメント内の液体残量が所定量にあることを検出するセンサと、前記アタッチメントの外周面に設けられるとともに、前記センサに電気的に接続された電極とをさらに備えた。
【手続補正１８】
【補正対象書類名】明細書
【補正対象項目名】００２７
【補正方法】削除
【補正の内容】
【手続補正１９】
【補正対象書類名】明細書
【補正対象項目名】００２８
【補正方法】変更
【補正の内容】
【００２８】
そして、センサを利用して、外部液体収容体の液体がすべて消費され、さらに、アタッチメントの液体が一部消費されて、アタッチメント内の液体残量が予め決められた量（所定量）となった時点を検出する。この時点で、今まで行っていたソフトウエアカウントでの液体残量の値をクリアし、新たに当該所定量からのソフトウエアカウントによる液体残量算出を行う。これにより、アタッチメントの液体が所定量になるまでに、ソフトウエアカウントで蓄積される可能性がある算出誤差を修正することができる。
【手続補正２０】
【補正対象書類名】明細書
【補正対象項目名】００２９
【補正方法】変更
【補正の内容】
【００２９】
本発明のアタッチメントシステムは、液体を噴射する液体噴射ヘッドを備えた液体噴射装置に使用されるアタッチメントシステムであって、前記液体噴射装置に搭載される液体カートリッジに替えて、該液体噴射装置に搭載可能で、内部の液体を前記液体噴射ヘッドに供給するアタッチメントと、外部液体収容体と、前記アタッチメントと前記外部液体収容体とを連結し、前記外部液体収容体の液体を前記アタッチメントに供給するチューブとを備え、前記アタッチメントは、液体収容部を構成する底壁と、該底壁と交差するとともに相対向する第１側壁及び第２側壁と、前記底壁の前記第１側壁の側に偏した位置に形成された液体導出部と、前記第１側壁に形成され、係合部を備えた係止部材と、前記第２側壁の前記底壁寄りに形成され、前記液体導出部の軸方向と平行な面に設けられた凸部と、前記凸部に配設された複数の電極とを備えた。
【手続補正２１】
【補正対象書類名】明細書
【補正対象項目名】００３１
【補正方法】変更
【補正の内容】
【００３１】
本発明のアタッチメントシステムにおいて、前記アタッチメントは、前記電極に電気的に接続された記憶手段をさらに備えた。この発明によれば、電極から電気的に接続された記憶手段に液体情報を記憶させる又は読み出することができる。
【手続補正２２】
【補正対象書類名】明細書
【補正対象項目名】００３２
【補正方法】変更
【補正の内容】
【００３２】
本発明のアタッチメントシステムにおいて、前記アタッチメントは、前記電極に電気的に接続されたセンサをさらに備え、該センサが前記アタッチメント内の液体残量が所定量にあることを検出する。
この発明によれば、センサにより、液体残量を検出することができる。
【手続補正２３】
【補正対象書類名】明細書
【補正対象項目名】００３３
【補正方法】削除
【補正の内容】
【手続補正２４】
【補正対象書類名】明細書
【補正対象項目名】００３４
【補正方法】削除
【補正の内容】